(57)【要約】【課題】この発明は、情報を空間立体的に、および／またはホログラフィーにより表示するための、前置マスクを有する平面ディスプレイに関する。【解決手段】この発明にもとづく平面ディスプレイは、特に、粗い表面を持つ周知の平面ディスプレイにおける空間立体的な、またはホログラフィーによる表示の質が、この表面を平滑化することによって、大幅に改善されることに特徴がある。このために、その粗さによって反射を防止している平面ディスプレイの表面に、液浸層および／または透明層を配備するか、あるいはこの表面とマスクとの間に、透明な材料または液浸用の材料を配置する。後者の場合、この材料を気密な閉鎖構造体内に配置するか、あるいは平面ディスプレイとマスクとの間の空間を閉鎖して、その中に透明な材料または液浸用の材料を収容する。さらに重要な利点は、この平面ディスプレイの表面上の液浸層および／または透明層が、同時に機械的な影響および／または熱による影響および／または気候による影響に対して保護する働きがあることである。さらに、この層は、反射防止の働きを持つこともできる。
2005505793.tif 000002
【特許請求の範囲】
【請求項１】
情報を空間立体的に、および／またはホログラフィーにより表示するための、前に置かれたマスクを持つ平面ディスプレイにおいて、この平面ディスプレイ（１）の粗い表面が、液浸層（４）および／または透明層（５）を配備していること、あるいはこの平面ディスプレイ（１）とこのマスク（２）との間に、透明な材料および／または液浸用の材料が配置されていることを特徴とする平面ディスプレイ。
【請求項２】
当該の平面ディスプレイ（１）の表面と、立体表示のために、その前に置かれたマスク（２）との間の空間内に、液浸用の材料を有する、透明な材料から成る閉鎖構造体が配置されていることを特徴とする請求項１に記載の平面ディスプレイ。
【請求項３】
当該の平面ディスプレイ（１）と前置マスク（２）との間に液浸用の材料を収容する空間が、閉鎖されていることを特徴とする請求項１に記載の平面ディスプレイ。
【請求項４】
当該のマスク（２）が、平面ディスプレイ（１）の表面に対して、移動可能な形で配置されていることを特徴とする請求項１から３までのいずれか一つに記載の平面ディスプレイ。
【請求項５】
当該の液浸層および／または透明層および／またはマスク（２）が、少なくとも一つの半波長層で反射防止されていることを特徴とする請求項１から４までのいずれか一つに記載の平面ディスプレイ。
【発明の詳細な説明】
【技術分野】
【０００１】
この発明は、情報を空間立体的に、および／またはホログラフィーにより表示するための前置マスクを有する平面ディスプレイに関する。
【背景技術】
【０００２】
情景を二次元で、空間立体的に、および／またはホログラフィーにより表示するためには、とりわけ特許文献１による構成（立体再生装置）が周知である。
【０００３】
この構成では、平面ディスプレイを利用して、二次元の表示から空間的な表示を実現している。
【０００４】
立体構成では、平面ディスプレイ上の右および左の目用の画像は、理想的には、左の目には当該の左画像だけが、右の目には右画像だけが観察者に見えるように、光学マスクを介して観察者に誘導される。このような構成は、特許文献２（画像の三次元的知覚用再生装置）により周知である。これは、観察者から見て、ディスプレイの後方にある、直線形状の、またはその他の好適に構造化された照射格子を持つ複雑な光学マスクによっても実現することができる。しかし、この構造を見る角度によっては、一つの情景または一つの物体の複数の映像が観察される可能性もある（特許文献３）。
【０００５】
平面ディスプレイは、通常反射を低減するために、その表面上に反射防止膜を有する。今日では、これは、一般的にもはや所謂半波長膜の形状ではなく、粗い輪郭によって実現されている。
【０００６】
この平面ディスプレイの表面の粗さは、空間立体的に表示するための周知の構造では、ディスプレイから放出された光を所望のとおり観察者の目に誘導する以外に、さらに追加の散乱光を発生させ、それによって空間立体的な表示の質が大幅に劣化するという意味において、不利な効果を生じさせる。ホログラフィーにより表示するための周知の構成では、この表面の粗さは、光の干渉性に影響を及ぼし、それは、明らかに品質の低下をもたらす。
【特許文献１】
欧州特許公開第０５７６１０６号明細書
【特許文献２】
ドイツ特許公開第３９２１０６１号明細書
【特許文献３】
米国特許第５０４０８７８号明細書
【発明の開示】
【発明が解決しようとする課題】
【０００７】
この発明の課題は、表面の粗さを持つ周知の平面ディスプレイにおいて、空間立体的な、あるいはホログラフィーによる表示の質を改善することである。
【課題を解決するための手段】
【０００８】
この課題は、請求項１の中で挙げた特徴によって解決される。
【０００９】
この発明にもとづく平面ディスプレイは、特に、粗い表面を持つ周知の平面ディスプレイにおける空間立体的な、あるいはホログラフィによる表示の質が、表面を平滑化することによって、大幅に改善されるという特徴を有する。
【００１０】
そのために、粗さによって反射を防止された平面ディスプレイの表面に、液浸層（immergierendem Schicht）および／または透明層を配備する、あるいはこの表面とマスクとの間に、透明な材料または液浸用の材料を配置する。後者の場合、その材料は、気密に閉鎖された構造体の中に配置するか、あるいは平面ディスプレイとマスクとの間の空間を閉鎖して、その中に透明な材料または液浸用の材料を収容する。
【００１１】
さらに重要な利点は、この平面ディスプレイの表面上の液浸層および／または透明層が、同時に機械的な影響および／または熱よる影響および／または天候による影響に対して保護する働きを持つということにある。さらに、この層は、反射防止の働きを持つことができる。
【００１２】
このため、この発明にもとづく平面ディスプレイは、有利にはその表面に粗さを持つ平面ディスプレイを利用して、擾乱の少ない、空間立体的な、および／またはホログラフィーによる表示に適している。とりわけ、モデリング、仮想現実（ＶＲ）、コンピュータ支援設計（ＣＡＤ）、マルチメディアおよびゲームの分野において、様々な用途がある。
【００１３】
この発明の有利な構成は、請求項２から５に示されている。
【００１４】
平面ディスプレイの表面とマスクとの間の空間が液浸用の材料を収容する、請求項２に記載の改良構成により、マスクを持つ既存の平面ディスプレイを簡単に拡張することができる。
【００１５】
請求項３の改良構成にもとづく、液浸用の材料または透明な材料を持つ、平面ディスプレイの表面とマスクとの間の気密な空間により、空間立体的な、および／またはホログラフィーによる表示のためのコンパクトな平面ディスプレイを実現することができる。
【００１６】
マスクを、平面ディスプレイに対して移動可能な形で配置した、請求項４の改良構成では、観察者に対する再生画質を劣化させることなく、観察者が、立体的な、またはホログラフィーによる表示に対して、その位置を変えることもできる。この場合、有利には観察者の新しい位置に対応して、マスクを追従させる。これは、観察者の位置を特定することによって行われ、その際このマスクに接続した動力によって、マスクを追従させるものである。
【００１７】
請求項５の改良形態では、有利には、少なくとも一つの半波長膜を用いて、この発明にもとづく平面ディスプレイの反射防止を行っている。
【発明を実施するための最良の形態】
【００１８】
この発明の実施例を図面で示すとともに、以下において、より詳しく説明する。
【００１９】
図において、符号Ｐは、平面ディスプレイのピクセル列を表し、これらは、自己発光形または背面照射形のどちらかで構成される。
【実施例１】
【００２０】
第一の実施例では、情報を空間立体的に、および／またはホログラフィーにより表示するための、前置マスクを持つ平面ディスプレイは、基本的に、その表面に液浸層を配備した周知の平面ディスプレイから構成されている（図２の図解）。より詳しく説明するために、図１に、空間立体的に表示するための周知の構成を示す。ピクセル列Ｐを持つ平面ディスプレイ１には、観察者に対して、マスク２がその前に置かれており、そのマスクは、理想的には二つの映像を観察者の目に誘導する働きを持つ。平面ディスプレイの表面１ａでは、散乱光３が発生し、その散乱光は、寄生的な光として、観察者のそれぞれ別の目に当たる。観察者は、意図した立体感の代わりに、さらに擾乱として、濃淡が逆転した表示を受ける。
【００２１】
図２は、その表面上に、表面の粗さをならす液浸層４を持つ平面ディスプレイ１を示している。この散乱光の場合、前記の逆転した立体表示が抑制されている。
【００２２】
第一の実施例の実施構成では、さらに、表面保護の働きを持つ透明層５を塗布することができる（図３の図解）。
【００２３】
図４の図解に対応する、実施例の別の実施構成では、図３の図解に対応する平面ディスプレイ１に、反射防止層６として、さらに追加の透明層６を配備することができる。この追加の反射防止は、平滑化された平面によって起こる反射を抑制する。この層は、同時に表面保護の働きを持つこともできる。
【実施例２】
【００２４】
第二の実施例では、情報を空間立体的に、および／またはホログラフィーにより表示するための前置マスク２を持つ平面ディスプレイ１は、基本的に前置マスク２を持つ周知の平面ディスプレイ１から構成されている。立体表示用の平面ディスプレイ１とマスク２との間には、表面の粗さを光学的に抑制する液浸層４がある（図５の図解）。この場合、第一の実施例と同様に、同じ効果が生じ、その際濃淡が逆転した表示の形の擾乱は、観察者に対して抑制される。この液浸層は、追従型立体ディスプレイにおけるマスクの可動性とその他の構成を同時に維持するために、有利には液浸ゾル（Immersionsoel ）のような、弾力性のある、または液状の材料から構成される。
【００２５】
この第二の実施例の実施構成では、平面ディスプレイ１とマスク２との間の、層４と類似した閉鎖された空間内に、液浸用の材料を配置することができる。この材料は、密閉体によって閉鎖する、あるいは柔軟で透明なプラスチックまたはガラスから成る閉鎖構造体の中に配置することができる。
【実施例３】
【００２６】
情報を空間立体的に、および／またはホログラフィーにより表示するための前置マスク２を持つ平面ディスプレイ１の第三の実施例の基本構造は、第一および第二の実施例の基本構造とほぼ同じである。マスク２は、液浸層４と柔軟な密閉体８によって、移動可能な形で配置されている（図７の図解）。こうすることによって、マスク２は、追従型立体表示構成において必要とされるとおり、観察者の位置に対応して追従することができる。
【図面の簡単な説明】
【００２７】
【図１】平面ディスプレイの表面の粗さによる散乱光の発生を伴う平面ディスプレイの原理図
【図２】液浸用の材料によって散乱光を抑止する能力を有する平面ディスプレイの原理図
【図３】追加の透明層を有する平面ディスプレイの原理図
【図４】半波長層によって、さらに反射防止を行う平面ディスプレイの原理図
【図５】立体表示のために、平面ディスプレイの表面とマスクとの間に液浸用の材料を有する平面ディスプレイの原理図
【符号の説明】
【００２８】
１    平面ディスプレイ
１ａ    平面ディスプレイの表面
２    マスク
３    散乱光
４    液浸層
５    透明層
６    反射防止層
７，８    密閉体
Ｐ    ピクセル列
【図１】
2005505793.tif 000003
【図２】
2005505793.tif 000004
【図３】
2005505793.tif 000005
【図４】
2005505793.tif 000006
【国際公開パンフレット】
2005505793.tif 000007
2005505793.tif 000008
2005505793.tif 000009
2005505793.tif 000010
2005505793.tif 000011
2005505793.tif 000012
2005505793.tif 000013
2005505793.tif 000014
2005505793.tif 000015
2005505793.tif 000016
2005505793.tif 000017
2005505793.tif 000018
2005505793.tif 000019
2005505793.tif 000020
2005505793.tif 000021
2005505793.tif 000022
【国際調査報告】
2005505793.tif 000023
2005505793.tif 000024
2005505793.tif 000025
2005505793.tif 000026